(57)【要約】      （修正有）【課題】立体音声及びデジタルオーディオ帯域信号輸入機能を整合するデジタルコードレス立体アラウンド音楽送信装置の提供。【解決手段】デジタルコードレス立体サラウンド音楽送信装置は、送信機台及びヘッドホンにより構成されており、その送信機台は主に、立体音声及びデジタルオーディオ帯域信号入力機能を整合したものであり、テレビ、パソコン、ビデオ及び電子ゲーム器のデジタルオーディオ帯域信号を受信、またｉPod（登録商標）、携帯電話、ＰＤＡの立体音声信号も受信でき、デジタルオーディオ帯域信号コードレス送信方式によって全方向発信及び受信を行い、立体サラウンド音楽を流すものである。【選択図】図１
0003130227.tif 000002
【実用新案登録請求の範囲】
【請求項１】
デジタルコードレス立体サラウンド音楽送信装置は、
デジタル信号入力装置、立体音声入力装置、アナログ/デジタル変換器、信号発信モジュールを固設しており、そのデジタル信号入力装置は外のデジタル音楽プレーヤー設備のデジタルオーディオ帯域信号を受信し、立体音声入力装置は、外の立体音声音楽プレーヤー設備の立体音声信号を受信、アナログ/デジタル変換器によってデジタルオーディオ帯域信号に変換され、信号発信モジュールはデジタル信号入力装置とアナログ/デジタル変換器の内一つが出力したデジタルオーディオ帯域信号を受信して発信信号にエンコードする、送信機台と、
信号受信モジュール、デジタル/アナログ変換器、拡大器、最低一つのスピーカーセットを固設しており、信号受信モジュールは発信信号を受信し、デジタル/アナログ変換器によってアナログオーディオ帯域信号に変換、アナログオーディオ帯域信号は拡大器及びスピーカーセットによって立体サラウンド音楽として流される、ヘッドホンと、
を有することを特徴とするデジタルコードレス立体サラウンド音楽送信装置。
【請求項２】
請求項１記載のデジタルコードレス立体サラウンド音楽送信装置において、前記立体音声入力装置は、最低一つの立体音声信号を受信する電気コネクタを有し、その電気コネクタは固定台上に設置して、送信機台のケース表面に組み合わされた凹部に可動状態で連結することを特徴とするデジタルコードレス立体サラウンド音楽送信装置。
【請求項３】
請求項１記載のデジタルコードレス立体サラウンド音楽送信装置において、前記立体音声入力装置は、少なくとも二つの電気コネクタを有しており、対応する外の二つの立体音声音楽プレーヤー装置に接続、二つの電気コネクタの内、一つが出力する立体音声信号の受信を制御することを特徴とするデジタルコードレス立体サラウンド音楽送信装置。
【請求項４】
請求項１記載のデジタルコードレス立体サラウンド音楽送信装置において、前記送信機台内には、拡大器及びスピーカーセットを固設、立体音声入力装置の立体音声信号を受信して音楽を拡大して流すことを特徴とするデジタルコードレス立体サラウンド音楽送信装置。
【請求項５】
請求項１記載のデジタルコードレス立体サラウンド音楽送信装置において、信号発信モジュールは、発信アンテナを有し、無線デュアル搬送波信号を発信、信号受信モジュールは二つの受信アンテナを有し、デュアル搬送波信号を受信することを特徴とするデジタルコードレス立体サラウンド音楽送信装置。
【考案の詳細な説明】
【技術分野】
【０００１】
本考案は特に、立体音声及びデジタルオーディオ帯域信号輸入機能を整合するデジタルコードレス立体サラウンド音楽送信装置を提案するものである。
【背景技術】
【０００２】
現在デジタルコードレス音楽送信装置は、一つの送信機台及びヘッドホンを組み合わせなければならず、その送信機台はコードレス方式でデジタルオーディオ帯域（ＡＦ）信号を送信してヘッドホンがそのデジタルオーディオ帯域を受信、並びにデコードし、アナログオーディオ帯域信号にて出力すると、スピーカーセットは音楽を流すものである。
【０００３】
公知のデジタルコードレス音楽送信機台は、外の音楽プレーヤー設備のデジタルオーディオ帯域信号を受信するのみで、外の音楽プレーヤー設備の立体音声信号を受信できず、ｉPod、携帯電話、ＰＤＡ（ＭＰ３内蔵）等立体音声音楽プレーヤー設備には対応しない故、使用において制限されている。公知のコードレス送信機台自身には音楽プレーヤー装置はなく、よってヘッドホンでだけしか音楽を聞けず、送信機台によっては直接音楽を流せない構造である。
【考案の開示】
【考案が解決しようとする課題】
【０００４】
本考案は主に立体音声及びデジタルオーディオ帯域信号入力機能を整合したものであり、テレビ、パソコン、ビデオ及び電子ゲーム器のデジタルオーディオ帯域信号を受信、またｉPod、携帯電話、ＰＤＡ（ＭＰ３内蔵）の立体音声信号も受信でき、デジタルオーディオ帯域信号コードレス送信方式によって全方向発信及び受信を行い、立体サラウンド音楽を流すことのできるデジタルコードレス立体サラウンド音楽送信装置の提供を最も主な目的とする。
【０００５】
上述目的を達成する為に、本考案のデジタルコードレス立体サラウンド音楽送信装置は、送信機台10を含み、それにはデジタル信号入力装置20、立体音声入力装置30、アナログ/デジタル変換器32、信号発信モジュール40を固設する。そのデジタル信号入力装置20は外のデジタル音楽プレーヤー設備のデジタルオーディオ帯域信号を受信し、その立体音声入力装置30は、外の立体音声音楽プレーヤー設備の立体音声信号を受信、アナログ/デジタル変換器32によってデジタルオーディオ帯域信号に変換され、信号発信モジュール40はデジタル信号入力装置20とアナログ/デジタル変換器32の内一つが出力したデジタルオーディオ帯域信号を受信して発信信号にエンコードする。また、ヘッドホン50には信号受信モジュール60、デジタル/アナログ変換器63、拡大器64、少なくとも一つのスピーカーセットを固設しており、その信号受信モジュール60は発信信号を受信し、デジタル/アナログ変換器63によってアナログオーディオ帯域信号に変換されて、アナログオーディオ帯域信号は拡大器64及びスピーカーセットによって立体サラウンド音楽として流される。
【課題を解決するための手段】
【０００６】
請求項１の考案は、デジタルコードレス立体サラウンド音楽送信装置は、
デジタル信号入力装置、立体音声入力装置、アナログ/デジタル変換器、信号発信モジュールを固設しており、そのデジタル信号入力装置は外のデジタル音楽プレーヤー設備のデジタルオーディオ帯域信号を受信し、立体音声入力装置は、外の立体音声音楽プレーヤー設備の立体音声信号を受信、アナログ/デジタル変換器によってデジタルオーディオ帯域信号に変換され、信号発信モジュールはデジタル信号入力装置とアナログ/デジタル変換器の内一つが出力したデジタルオーディオ帯域信号を受信して発信信号にエンコードする、送信機台と、
信号受信モジュール、デジタル/アナログ変換器、拡大器、最低一つのスピーカーセットを固設しており、信号受信モジュールは発信信号を受信し、デジタル/アナログ変換器によってアナログオーディオ帯域信号に変換、アナログオーディオ帯域信号は拡大器及びスピーカーセットによって立体サラウンド音楽として流される、ヘッドホンと、
を有することを特徴とするデジタルコードレス立体サラウンド音楽送信装置としている。
請求項２の考案は、請求項１記載のデジタルコードレス立体サラウンド音楽送信装置において、前記立体音声入力装置は、最低一つの立体音声信号を受信する電気コネクタを有し、その電気コネクタは固定台上に設置して、送信機台のケース表面に組み合わされた凹部に可動状態で連結することを特徴とするデジタルコードレス立体サラウンド音楽送信装置としている。
請求項３の考案は、請求項１記載のデジタルコードレス立体サラウンド音楽送信装置において、前記立体音声入力装置は、少なくとも二つの電気コネクタを有しており、対応する外の二つの立体音声音楽プレーヤー装置に接続、二つの電気コネクタの内、一つが出力する立体音声信号の受信を制御することを特徴とするデジタルコードレス立体サラウンド音楽送信装置としている。
請求項４の考案は、請求項１記載のデジタルコードレス立体サラウンド音楽送信装置において、前記送信機台内には、拡大器及びスピーカーセットを固設、立体音声入力装置の立体音声信号を受信して音楽を拡大して流すことを特徴とするデジタルコードレス立体サラウンド音楽送信装置としている。
請求項５の考案は、請求項１記載のデジタルコードレス立体サラウンド音楽送信装置において、信号発信モジュールは、発信アンテナ41を有し、無線デュアル搬送波(wireless dualcarrier)信号を発信、信号受信モジュールは二つの受信アンテナを有し、デュアル搬送波信号を受信することを特徴とするデジタルコードレス立体サラウンド音楽送信装置としている。
【考案の効果】
【０００７】
本考案のデジタルコードレス立体サラウンド音楽送信装置は、立体音声及びデジタルオーディオ帯域信号輸入機能を整合することを特徴とする。
【考案を実施するための最良の形態】
【０００８】
まず図１〜３に示すとおり、本考案のデジタルコードレス立体サラウンド音楽送信装置は、送信機台10及びヘッドホン50により構成されており、その送信機台10はプラスチックケース11及びその左右両側の相対箇所に凹んだ形状の定位部12、13を設け、そのヘッドホン50にはヘッドホンバンド51及び左右両側の相対位置に耳装着部52、53を設ける。通常使わない場合は、ヘッドホン50の二つの耳装着部52、53は送信機台10の二つの相対位置にある定位部12、13を挟み込んでいる。
【０００９】
図２に示したとおり、上述の送信機台10内部にはデジタル信号入力装置20、立体音声入力装置30、アナログ/デジタル変換器32、信号発信モジュール40を固設する。そのデジタル信号入力装置20は、外のデジタル音楽プレイヤー設備70のデジタルオーディオ帯域信号を受信、立体音声入力装置30は外の立体音声音楽プレイヤー設備80の立体音声信号を受信し、アナログ/デジタル変換器32によってデジタルオーディオ帯域信号に変換される。信号発信モジュール40はデジタル信号入力装置20とアナログ/デジタル変換器32の二つの内一つが出力したデジタルオーディオ帯域信号を受信してエンコードを行い、並びに2.4ＧＨz  FSKデジタル通信技術によってデジタル信号を発信する。
【００１０】
上記ヘッドホン50には信号受信モジュール60、デジタル/アナログ変換器63、拡大器64、左右二つ（もしくは最低一つの）スピーカーセット65、66を固設する。信号受信モジュール60は送信機台10が発信するデジタル信号を受信し、デジタル/アナログ変換器63によって元のリアルもしくは模擬6チャンネルアナログオーディオ帯域に変換され、そのアナログオーディオ帯域信号は拡大器64及びスピーカーセット65、66を通して5.1チャンネル立体サランド音楽として流される。
【００１１】
図１及び３に示した送信機台10及びヘッドホン50内部は全て、電池形状の電源を設けており、並びに送信機台10には、図３、４に示した電源スイッチ17及びそのライト171、直流電源差込口18、充電差込口19、ライト191を設ける。
【００１２】
上述デジタル信号入力装置20の送信機台10ケース11後側には、デジタル信号光ファイバー出入力電気コネクタ22、23、及びデジタル信号同軸入力電気コネクタ24を設け、外のデジタル音楽プレイヤー設備70のデジタルオーディオ帯域信号を選択受信する。同時にデジタル信号入力装置20の送信機台10ケース11前側には切換スイッチ21を設置し、デジタル信号入力装置20と立体音声入力装置30両者の内一つだけの信号が入力されるよう制御する。
【００１３】
図１、２に示した立体音声入力装置30は少なくとも一つか二つの立体音声信号を受信する電気コネクタ33、34を有しており、対応する外の立体音声音楽プレイヤー設備80を接続する。例えば図６に示した、ｉPod、携帯電話、ＰＤＡ（ＭＰ３内蔵）等である。切換スイッチ31は二つの電気コネクタ33、34の内の一つが出力する立体音声信号を選択受信する。また、立体音声入力装置30は更に別の二つの立体音声入力用電気コネクタ35及び出力用電気コネクタ36を具える（図４参照）。電気コネクタ33は直接ケース11の固定台14上に設置し、この固定台14は分解型式（図５参照）とすることも可能であり、送信機台10のケース11表面に組み合わされた凹部15に可動状態で連結する。
【００１４】
また、本実施例の送信機台10内には拡大器38及びスピーカーセット39を固設、更に外周にスピーカー孔16及び切換スイッチ37を設けて、立体音声入力装置30が立体音声信号を出力して拡大器38に送られるか、アナログ/デジタル変換器32に送られるかを制御している。よって、拡大器38は制御を受けて立体音声入力装置30の立体音声信号を受信して拡大し、スピーカーセット39の左右スピーカー及び重低音スピーカーによって音楽を流す。
【００１５】
図２に示した信号発信モジュール40は発信アンテナ41を有し、無線デュアル搬送波(wireless dualcarrier)信号を発信、信号受信モジュール60は二つの受信アンテナ61、62を有し、デュアル搬送波を受信、デジタルオーディオ帯域信号の全方向発信及び受信送信を達成する。
【００１６】
本考案は主に、立体音声及びデジタルオーディオ帯域信号入力機能を整合したものであり、テレビ、パソコン、ビデオ及び電子ゲーム器のデジタルオーディオ帯域信号を受信、またｉPod、携帯電話、ＰＤＡ（ＭＰ３内蔵）の立体音声信号も受信でき、デジタルオーディオ帯域信号送信方式によって全方向発信及び受信を行い、立体サラウンド音楽を流すことのできるデジタルコードレス立体サラウンド音楽送信装置である。
【図面の簡単な説明】
【００１７】
【図１】本考案一実施例の音楽送信装置の立体図である。
【図２】図１の回路フローチャートである。
【図３】図１の送信機台の立体図である。
【図４】図３の送信機台後側の立体図である。
【図５】図１の立体音声電気コネクタ及びその固定台の分解図である。
【図６】図１の使用状態図である。
【符号の説明】
【００１８】
10  送信機台
11  ケース
12  定位部
13  定位部
14  固定台
15  凹部
16  スピーカー孔
17  電源スイッチ
18  電源差込口
19  充電差込口
171、191  ライト
20  デジタル信号入力装置
21  切換スイッチ
22、23、24  電気コネクタ
30  立体音声入力装置
31  切換スイッチ
32  アナログ/デジタル変換器
33、34、35、36  電気コネクタ
37  切換スイッチ
38  拡大器
39  スピーカーセット
40  信号発信モジュール
41  発信アンテナ
42  周波選択スイッチ
50  ヘッドホン
51  ヘッドホンバンド
52、53  耳装着部
60  信号受信モジュール
61、62  受信アンテナ
63  デジタル/アナログ変換器
64  拡大器
65、66  スピーカーセット
70  デジタル音楽プレイヤー設備
80  立体音声音楽プレイヤー設備
【図１】
0003130227.tif 000003
【図２】
0003130227.tif 000004
【図３】
0003130227.tif 000005
【図４】
0003130227.tif 000006
【図５】
0003130227.tif 000007
【図６】
0003130227.tif 000008
【手続補正書】
【提出日】平成18年12月27日(2006.12.27)
【手続補正１】
【補正対象書類名】明細書
【補正対象項目名】０００３
【補正方法】変更
【補正の内容】
【０００３】
公知のデジタルコードレス音楽送信機台は、外の音楽プレーヤー設備のデジタルオーディオ帯域信号を受信するのみで、外の音楽プレーヤー設備の立体音声信号を受信できず、ｉPod(登録商標)、携帯電話、ＰＤＡ（ＭＰ３内蔵）等立体音声音楽プレーヤー設備には対応しない故、使用において制限されている。公知のコードレス送信機台自身には音楽プレーヤー装置はなく、よってヘッドホンでだけしか音楽を聞けず、送信機台によっては直接音楽を流せない構造である。
【手続補正２】
【補正対象書類名】明細書
【補正対象項目名】０００４
【補正方法】変更
【補正の内容】
【０００４】
本考案は主に立体音声及びデジタルオーディオ帯域信号入力機能を整合したものであり、テレビ、パソコン、ビデオ及び電子ゲーム器のデジタルオーディオ帯域信号を受信、またｉPod(登録商標)、携帯電話、ＰＤＡ（ＭＰ３内蔵）の立体音声信号も受信でき、デジタルオーディオ帯域信号コードレス送信方式によって全方向発信及び受信を行い、立体サラウンド音楽を流すことのできるデジタルコードレス立体サラウンド音楽送信装置の提供を最も主な目的とする。
【手続補正３】
【補正対象書類名】明細書
【補正対象項目名】００１３
【補正方法】変更
【補正の内容】
【００１３】
図１、２に示した立体音声入力装置30は少なくとも一つか二つの立体音声信号を受信する電気コネクタ33、34を有しており、対応する外の立体音声音楽プレーヤー設備80を接続する。例えば図６に示した、ｉPod(登録商標)、携帯電話、ＰＤＡ（ＭＰ３内蔵）等である。切換スイッチ31は二つの電気コネクタ33、34の内の一つが出力する立体音声信号を選択受信する。また、立体音声入力装置30は更に別の二つの立体音声入力用電気コネクタ35及び出力用電気コネクタ36を具える（図４参照）。電気コネクタ33は直接ケース11の固定台14上に設置し、この固定台14は分解型式（図５参照）とすることも可能であり、送信機台10のケース11表面に組み合わされた凹部15に可動状態で連結する。
【手続補正４】
【補正対象書類名】明細書
【補正対象項目名】００１６
【補正方法】変更
【補正の内容】
【００１６】
本考案は主に、立体音声及びデジタルオーディオ帯域信号入力機能を整合したものであり、テレビ、パソコン、ビデオ及び電子ゲーム器のデジタルオーディオ帯域信号を受信、またｉPod(登録商標)、携帯電話、ＰＤＡ（ＭＰ３内蔵）の立体音声信号も受信でき、デジタルオーディオ帯域信号送信方式によって全方向発信及び受信を行い、立体サラウンド音楽を流すことのできるデジタルコードレス立体サラウンド音楽送信装置である。